(57)【要約】【課題】伝播環境に対して、パスサンプル数を検出パス毎に適応的に制御する等化装置および等化方法を提供する。【解決手段】受信信号から既知の信号に基づいてパス検出を行うパスタイミング検出部１０１と、パスタイミング検出部１０１から供給された検出パスタイミングおよびパス遅延プロファイルに基づいて、伝送路応答ベクトルの生成に使用される伝送路推定値の数であるパスサンプル数を適応的に決定する適応パスサンプル数制御部１０２と、適応パスサンプル数制御部で決定したパスサンプル数に基づいて等化ウエイトを生成するウエイト生成部１０８と、受信信号を等化する等化部１０９とを有する。適応パスサンプル数制御部１０２が、伝搬環境に対して検出パス毎に適応的にパスサンプル数を決定する。【選択図】図１
2007129549.tif 000002
【特許請求の範囲】
【請求項１】
外部装置からの送信信号がマルチパスを経由して合成された受信信号を入力とし、該受信信号から既知の信号を用いて前記マルチパスのタイミングを検出しパス検出情報として出力するパスタイミング検出部と、
前記受信信号と前記パス検出情報を入力とし、前記パスタイミング検出部で検出された検出パスタイミングそれぞれにおける伝送路推定を行い検出パスタイミング伝送路推定値として出力する検出パスタイミング伝送路推定部と、
前記受信信号と前記パス検出情報を入力とし、前記パスタイミング検出部で検出された検出パスタイミングの前後に隣接する複数の隣接パスタイミングそれぞれにおける伝送路推定を行い、隣接パスタイミング伝送路推定値として出力する隣接パスタイミング伝送路推定部と、
前記パス検出情報を入力とし、等化ウエイトの生成において並べる検出パス毎の伝送路推定値の数であるパスサンプル数を決定し、適応パスサンプル数情報として出力する適応パスサンプル数制御部と、
前記検出パスタイミング伝送路推定値と前記隣接パスタイミング伝送路推定値と前記適応パスサンプル数情報を入力とし、伝送路推定値を並べた伝送路応答ベクトルを生成し出力する伝送路応答ベクトル生成部と、
前記伝送路ベクトルを入力とし、前記等化ウエイトを生成し等化ウエイト情報として出力する等化ウエイト生成部と、
前記受信信号と前記等化ウエイト情報を入力とし、前記受信信号の等化を行い、等化後受信信号を出力する等化部と、
前記等化後受信信号を入力とし、前記受信信号に対応する送信信号を推定するデータ復調部とから構成され、
前記適応パスサンプル数制御部が、前記パスサンプル数を検出パス毎に適応的に制御することを特徴とする等化装置。
【請求項２】
前記適応パスサンプル数制御部は、
前記パス検出情報を入力とし、時間的に連続する２つの検出パスについて、該パス相互のパス間隔を算出し、パスサンプル数制御情報として出力する制御情報算出部と、
前記パスサンプル数制御情報を入力とし、検出パス毎の前記パスサンプル数を決定し、前記適応パスサンプル数情報として出力するパスサンプル数決定部とを有する、請求項１に記載の等化装置。
【請求項３】
前記パスサンプル数決定部は、前記パス間隔が閾値より大きい場合は、前記パスサンプル数を小さくし、前記パス間隔が閾値より小さい場合には、前記パスサンプル数を大きくする、請求項２に記載の等化装置。
【請求項４】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ番目の検出パスにおけるパスサンプル数をＮpsＤj（ＮpsＤjは自然数で、ＮpsＤ1＞ＮpsＤ2＞…＞ＮpsＤNd）に設定し、第Ｐ番目の検出パスにおけるパスサンプル数をパス間隔τP-1に基づいて設定する、請求項２に記載の等化装置。
【請求項５】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づいて設定する、請求項２に記載の等化装置。
【請求項６】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）と前記第ｐ＋１番目の検出パスと第ｐ＋２番目の検出パスとのパス間隔τp+1とのうち、小さい方のパス間隔τ’pが、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τ’p＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づき設定し、第Ｐ番目の検出パスにおけるパスサンプル数をパス間隔τP-1に基づき設定する、請求項２に記載の等化装置。
【請求項７】
外部装置からの送信信号がマルチパスを経由して合成された受信信号を入力とし、該受信信号から既知の信号を用いて前記マルチパスのタイミングを検出しパス検出情報として出力するとともに、前記受信信号から得られるパス遅延プロファイルをプロファイル情報として出力するパスタイミング検出部と、
前記受信信号と前記パス検出情報を入力とし、前記パスタイミング検出部で検出された検出パスタイミングそれぞれにおける伝送路推定を行い検出パスタイミング伝送路推定値として出力する検出パスタイミング伝送路推定部と、
前記受信信号と前記パス検出情報を入力とし、前記パスタイミング検出部で検出された検出パスタイミングの前後に隣接する複数の隣接パスタイミングそれぞれにおける伝送路推定を行い、隣接パスタイミング伝送路推定値として出力する隣接パスタイミング伝送路推定部と、
前記パス検出情報と前記プロファイル情報を入力とし、等化ウエイトの生成において並べる検出パス毎の伝送路推定値の数であるパスサンプル数を決定し、適応パスサンプル数情報として出力する適応パスサンプル数制御部と、
前記検出パスタイミング伝送路推定値と前記隣接パスタイミング伝送路推定値と前記適応パスサンプル数情報を入力とし、伝送路推定値を並べた伝送路応答ベクトルを生成し出力する伝送路応答ベクトル生成部と、
前記伝送路ベクトルを入力とし、前記等化ウエイトを生成し等化ウエイト情報として出力する等化ウエイト生成部と、
前記受信信号と前記等化ウエイト情報を入力とし、前記受信信号の等化を行い、等化後受信信号を出力する等化部と、
前記等化後受信信号を入力とし、前記受信信号に対応する送信信号を推定するデータ復調部から構成され、
前記適応パスサンプル数制御部が、前記パスサンプル数を検出パス毎に適応的に制御することを特徴とする等化装置。
【請求項８】
前記適応パスサンプル数制御部は、
前記パス検出情報を入力とし、時間的に連続する２つの検出パス相互のパス間隔、検出パスのレベル、および検出パスとその前後の複数の隣接パスとのレベル差のうち１つ以上を算出し、パスサンプル数制御情報として出力する制御情報算出部と、
前記パスサンプル数制御情報を入力とし、検出パス毎のパスサンプル数を決定し、前記適応パスサンプル数情報として出力するパスサンプル数決定部とを有する、請求項７に記載の等化装置。
【請求項９】
前記制御情報算出部は、前記パスタイミング検出部での検出タイミングが時間的に連続する２つの検出パスについて、該パス相互のパス間隔を算出するように構成されており、
前記パスサンプル数決定部が、前記制御情報算出部で算出したパス間隔に基づいてパスサンプル数を決定する、請求項８に記載の等化装置。
【請求項１０】
前記パスサンプル数決定部は、前記パス間隔が閾値より大きい場合は、前記パスサンプル数を小さくし、前記パス間隔が閾値より小さい場合には、前記パスサンプル数を大きくする、請求項９に記載の等化装置。
【請求項１１】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ番目の検出パスにおけるパスサンプル数をＮpsＤj（ＮpsＤjは自然数で、ＮpsＤ1＞ＮpsＤ2＞…＞ＮpsＤNd）に設定し、第Ｐ番目の検出パスにおけるパスサンプル数をパス間隔τP-1に基づいて設定する、請求項９に記載の等化装置。
【請求項１２】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づいて設定する、請求項９に記載の等化装置。
【請求項１３】
前記パスサンプル数決定部は、前記パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）と前記第ｐ＋１番目の検出パスと第ｐ＋２番目の検出パスとのパス間隔τp+1とのうち、小さい方のパス間隔τ’pが、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τ’p＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づき設定し、第Ｐ番目の検出パスにおけるパスサンプル数をパス間隔τP-1に基づき設定する、請求項９に記載の等化装置。
【請求項１４】
前記制御情報算出部は、前記パスタイミング検出部で検出された検出パスのうち、最大レベルの検出パスと他の検出パスとのレベル差を算出するように構成されており、
前記パスサンプル数決定部が、前記制御情報算出部で算出したレベル差が閾値より大きい場合に、前記他の検出パスにおけるパスサンプル数を小さく、前記制御情報算出部で算出したレベル差が閾値より小さい場合には、前記他の検出パスにおけるパスサンプル数を大きくする、請求項８に記載の等化装置。
【請求項１５】
前記パスサンプル数決定部は、前記パスタイミング検出部で検出可能な最大パス数をＰとするとき、第ｐ番目（ｐ＝１，２，…，Ｐ）の検出パスのレベルと最大レベルの検出パスとのレベル差Ｌｖp（Ｌｖpは実数）が、前記閾値として予め設定したＮｌ＋１個（Ｎｌは自然数）のパスレベル閾値ＴｈＬk（ＴｈＬkは実数で、ＴｈＬ1＜ＴｈＬ2＜…＜ＴｈＬNl+1，ＴｈＬ1＝０，ＴｈＬNl+1＝∞，ｋ＝１，２，…，Ｎｌ＋１）に対し、ＴｈＬl≦Ｌｖp＜ＴｈＬl+1（ｌ＝１，２、…、Ｎｌ）となる場合に、第ｐ番目の検出パスにおけるパスサンプル数をＮpsＬl（ＮpsＬlは自然数で、ＮpsＬ1＜ＮpsＬ2＜…＜ＮpsＬNl）に設定する、請求項１４に記載の等化装置。
【請求項１６】
前記制御情報算出部は、前記パスタイミング検出部で検出された検出パスについて、該検出パスの検出タイミングの前後に隣接する前記複数の隣接パスのそれぞれとのレベル差を算出するように構成されており、
前記パスサンプル数決定部が、前記レベル差が閾値より大きな隣接パスの検出タイミングにおける伝送路推定値を、前記伝送路応答ベクトルの生成に使用される伝送路推定値から除外するように前記パスサンプル数を決定する、請求項８に記載の等化装置。
【請求項１７】
前記制御情報算出部は、前記検出パス相互の間隔、最大レベルの検出パスと他の検出パスとのレベル差、および検出パスと前記複数の隣接パスとのレベル差のうち、少なくとも２つのパスサンプル数制御情報を算出するように構成されており、
前記パスサンプル数決定部が、前記制御情報算出部で算出した前記少なくとも２つのパスサンプル数制御情報のそれぞれに基づいて算出したパスサンプル数のうち、最も小さなパスサンプル数を選択する、請求項８に記載の等化装置。
【請求項１８】
前記制御情報算出部は、前記検出パス相互の間隔、最大レベルの検出パスと他の検出パスとのレベル差、および検出パスと前記複数の隣接パスとのレベル差のうち、少なくとも２つのパスサンプル数制御情報を算出するように構成されており、
前記パスサンプル数決定部が、前記制御情報算出部で算出した前記少なくとも２つのパスサンプル数制御情報のそれぞれに基づいて算出したパスサンプル数のうち、最も大きなパスサンプル数を選択する、請求項８に記載の等化装置。
【請求項１９】
前記等化部における前記受信信号を等化するための処理が、時間領域または周波数領域での等化処理である、請求項１から１８のいずれか１項に記載の等化装置。
【請求項２０】
外部装置からの送信信号がマルチパスを経由して合成された受信信号から既知の信号を用いて前記マルチパスのタイミングを検出し、該検出パスタイミングおよび該検出パスタイミングの前後に隣接する複数の隣接パスタイミングのそれぞれにおける伝送路推定値に基づいて生成された伝送路応答ベクトルを用いて、前記受信信号から前記送信信号を推定するための等化ウエイトを生成する等化方法において、
前記伝送路応答ベクトルの生成において並べる検出パス毎の伝送路推定値の数であるパスサンプル数を適応的に制御するパスサンプル数制御ステップを含む等化方法。
【請求項２１】
前記パスサンプル数制御ステップは、前記受信信号から検出した検出パスについて、検出パス相互のパス間隔、検出パスのレベル、および検出パスと該検出パスに隣接する複数の隣接パスとのレベル差のうち１つ以上の情報に基づいて前記パスサンプル数を検出パス毎に制御するステップである、請求項２０に記載の等化方法。
【請求項２２】
前記パスサンプル数制御ステップは、
前記検出パスタイミングが時間的に連続する２つの検出パスについて、該パス相互のパス間隔を算出する制御情報算出ステップと、
前記制御情報算出ステップで算出したパス間隔に基づいて、検出パス毎のパスサンプル数を決定するパスサンプル数決定ステップとを含む、請求項２０に記載の等化方法。
【請求項２３】
前記パスサンプル数決定ステップは、前記パス間隔が閾値より大きい場合は、前記パスサンプル数を小さくし、前記パス間隔が閾値より小さい場合には、前記パスサンプル数を大きくするステップを含む、請求項２２に記載の等化方法。
【請求項２４】
前記パスサンプル数決定ステップは、検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ番目の検出パスにおけるパスサンプル数をＮpsＤj（ＮpsＤjは自然数で、ＮpsＤ1＞ＮpsＤ2＞…＞ＮpsＤNd）に設定し、第Ｐ番目の検出パスにおけるパスサンプル数をパス間隔τP-1に基づいて設定するステップを含む、請求項２２に記載の等化方法。
【請求項２５】
前記パスサンプル数決定ステップは、検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づいて設定するステップを含む、請求項２２に記載の等化方法。
【請求項２６】
前記パスサンプル数決定ステップは、検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）と前記第ｐ＋１番目の検出パスと第ｐ＋２番目の検出パスとのパス間隔τp+1とのうち、小さい方のパス間隔τ’pが、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τ’p＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づき設定し、第Ｐ番目の検出パスにおけるパスサンプル数をパス間隔τP-1に基づき設定するステップを含む、請求項２２に記載の等化方法。
【請求項２７】
前記パスサンプル数制御ステップは、
前記受信信号から検出された検出パスのうち、最大レベルの検出パスと他の検出パスとのレベル差を算出する制御情報算出ステップと、
前記制御情報算出ステップで算出したレベル差が閾値より大きい場合に、前記他の検出パスにおけるパスサンプル数を小さく、前記制御情報算出部で算出したレベル差が閾値より小さい場合には、前記他の検出パスにおけるパスサンプル数を大きくするパスサンプル数決定ステップを含む、請求項２０に記載の等化方法。
【請求項２８】
前記パスサンプル数決定ステップは、前記第１のステップで検出可能な最大パス数をＰとするとき、第ｐ番目（ｐ＝１，２，…，Ｐ）の検出パスのレベルと最大レベルの検出パスとのレベル差Ｌｖp（Ｌｖpは実数）が、前記閾値として予め設定したＮｌ＋１個（Ｎｌは自然数）のパスレベル閾値ＴｈＬk（ＴｈＬkは実数で、ＴｈＬ1＜ＴｈＬ2＜…＜ＴｈＬNl+1，ＴｈＬ1＝０，ＴｈＬNl+1＝∞，ｋ＝１，２，…，Ｎｌ＋１）に対し、ＴｈＬl≦Ｌｖp＜ＴｈＬl+1（ｌ＝１，２、…、Ｎｌ）となる場合に、第ｐ番目の検出パスにおけるパスサンプル数をＮpsＬl（ＮpsＬlは自然数で、ＮpsＬ1＜ＮpsＬ2＜…＜ＮpsＬNl）に設定するステップを含む、請求項２７に記載の等化方法。
【請求項２９】
前記パスサンプル数制御ステップは、
前記受信信号から検出された検出パスについて、該検出パスの検出パスタイミングの前後に隣接する前記複数の隣接パスのそれぞれとのレベル差を算出する制御情報算出ステップと、
パスサンプル数決定ステップが、前記レベル差が閾値より大きな隣接パスの検出パスタイミングにおける伝送路推定値を、前記伝送路応答ベクトルの生成に使用される伝送路推定値から除外するように前記パスサンプル数を決定するパスサンプル数決定ステップとを含む、請求項２０に記載の等化方法。
【請求項３０】
前記パスサンプル数制御ステップは、
前記検出パス相互の間隔、最大レベルの検出パスと他の検出パスとのレベル差、および検出パスと前記複数の隣接パスとのうち、少なくとも２つのパスサンプル数制御情報を算出する制御情報算出ステップと、
前記パスサンプル数決定ステップが、前記制御情報算出部で算出した前記少なくとも２つのパスサンプル数制御情報のそれぞれに基づいて算出したパスサンプル数のうち、最も小さなパスサンプル数を選択するパスサンプル数決定ステップとを含む、請求項２０に記載の等化方法。
【請求項３１】
前記パスサンプル数制御ステップは、
前記検出パス相互の間隔、最大レベルの検出パスと他の検出パスとのレベル差、および検出パスと前記複数の隣接パスとのうち、少なくとも２つのパスサンプル数制御情報を算出する制御情報算出ステップと、
前記パスサンプル数決定ステップが、前記制御情報算出部で算出した前記少なくとも２つのパスサンプル数制御情報のそれぞれに基づいて算出したパスサンプル数のうち、最も大きなパスサンプル数を選択するパスサンプル数決定ステップとを含む、請求項２０に記載の等化方法。
【請求項３２】
前記送信信号を推定するための等化処理として、時間領域または周波数領域での等化処理を用いる、請求項２０から３１のいずれか１項に記載の等化方法。
【発明の詳細な説明】
【技術分野】
【０００１】
本発明は、マルチパス環境下で通信が行われる通信システムの受信機に適用される等化装置および等化方法に関する。
【背景技術】
【０００２】
移動体通信や無線ＬＡＮ（Local Area Network）に代表される無線通信システムにおいては、送信側からの送信信号（電波）は、背景物（建物など）での反射や散乱によって異なる伝送経路で受信側に到達する。このようなマルチパス環境下での通信において優れた等化特性を達成する等化方式として、時間領域での等化または周波数領域での等化を行う方式がある。この等化方式では、パス検出および伝送路推定の結果を基に等化ウエイトを生成するため、これらパス検出および伝送路推定の精度が等化特性に大きく影響する。そのため、検出パスタイミングに対応する伝送路推定値をそのままベクトルの要素として並べて伝送路応答ベクトルを生成する従来方法では、検出パス相互の間隔（パス間隔）が小さい場合、各パスのサイドローブ成分がお互いに影響を及ぼすため、伝送路推定値の精度が劣化する。また、パスタイミング誤差がある場合にも、等化特性が劣化する。
【０００３】
そこで、検出パスタイミングにおける伝送路推定値に加えて、その検出パスタイミングの前後複数タイミングにおける伝送路推定値もベクトルの要素として並べて伝送路応答ベクトルを生成することで、パス間隔が小さい場合に生じるパス間のサイドローブ成分の影響とタイミング誤差の影響を軽減し、等化特性を改善する複数パスサンプル法（非特許文献１参照）が提案されている。この複数パスサンプル法では、検出パスに対して並べる伝送路推定値の数であるパスサンプル数Ｎps（Ｎpsは自然数）を予め設定する。パスサンプル数Ｎpsは、すべての検出パスに対して常に同じ数とされる。
【０００４】
図１３に、従来の等化装置の構成を示し、図１４に、パスサンプル数Ｎpsを予め５に設定する場合のパスサンプル数の設定を模式的に示す。以下、図１３および図１４を参照して複数パスサンプル法を用いた従来の等化方法を説明する。
【０００５】
図１３を参照すると、等化装置２００は、無線通信システムの受信機に適用されるものであって、パスタイミング検出部２０１、検出パスタイミング伝送路推定部１０５、隣接パスタイミング伝送路推定部１０６、伝送路応答ベクトル生成部２０２、ウエイト生成部１０８、等化部１０９、およびデータ復調部１１０を有する。
【０００６】
パスタイミング検出部２０１は、受信信号ＳRSIGから既知の信号（パイロット信号）を用いてマルチパスのタイミングを検出し、検出したパスタイミングをパス検出情報ＳPDTIとして出力する。検出パスタイミング伝送路推定部１０５は、受信信号ＳRSIGおよびパス検出情報ＳPDTIを入力としており、検出パスタイミングについて伝送路推定を行い、その推定結果を検出パスタイミング伝送路推定値ＳCEDTとして出力する。隣接パスタイミング伝送路推定部１０６は、受信信号ＳRSIGおよびパス検出情報ＳPDTIを入力としており、検出パスタイミングそれぞれに隣接する前後２タイミングずつにおける伝送路推定を行い、その推定結果を隣接パスタイミング伝送路推定値ＳCENTとして出力する。
【０００７】
伝送路応答ベクトル生成部２０２は、検出パスタイミング伝送路推定値ＳCEDTおよび隣接パスタイミング伝送路推定値ＳCENTを入力としており、これら伝送路推定値ＳCEDT、ＳCENTを用いて伝送路応答ベクトルＳCRVを生成して出力する。具体的には、伝送路応答ベクトル生成部２０２は、図１４に示すような、各検出パスタイミング（実線）の伝送路推定値ｈ1、ｈ2と、各検出パスタイミングの前後２タイミングずつの隣接パスタイミング（破線）の伝送路推定値ｈ1-2、ｈ1-1、ｈ1+1、ｈ1+2、ｈ2-2、ｈ2-1、ｈ2+1、ｈ2+2とをベクトルの要素として並べて伝送路応答ベクトルＳCRVを生成する。伝送路応答ベクトル生成部２０２の出力（伝送路応答ベクトルＳCRV）は、ウエイト生成部１０８に供給されている。
【０００８】
ウエイト生成部１０８は、伝送路応答ベクトル生成部２０２から供給された伝送路応答ベクトルＳCRVを用いて等化ウエイトＳEQWを生成して出力する。等化部１０９は、受信信号ＳRSIGおよび等化ウエイトＳEQWを入力としており、受信信号の等化処理を行い、等化後受信信号ＳEQSIGを出力する。等化部１０９の出力（等化後受信信号ＳEQSIG）は、データ復調部１１０に供給されている。等化部１０９における等化方法として、時間領域でフィルタリングを行うチップ等化がある。
【０００９】
データ復調部１１０は、等化部１０９から供給された等化後受信信号ＳEQSIGを復調して情報系列ＳRDATを出力する。
【非特許文献１】電子情報通信学会2005年総合大会B-5-120、『HSDPA端末用MMSEチップ等化器における高精度チャネル分離法の検討』
【発明の開示】
【発明が解決しようとする課題】
【００１０】
上述した複数パスサンプル法を用いた従来の等化方法では、伝搬環境によらず、すべての検出パスにおけるパスサンプル数は、予め設定した数に固定されている。このため、サイドローブ成分の影響をほとんど受けない程度にパス間隔が大きい場合、またはパスタイミングが正確な場合には、隣接パスサンプル（隣接パスタイミングの伝送路推定値）が余分な雑音パスとなって、等化特性が劣化してしまう、という問題が生じる。
【００１１】
本発明の目的は、上記問題を解決し、伝搬環境に応じて適応的にパスサンプル数を検出パス毎に制御することのできる、等化装置および等化方法を提供することにある。
【課題を解決するための手段】
【００１２】
上記目的を達成するため、第１の発明は、外部装置からの送信信号がマルチパスを経由して合成された受信信号を入力とし、該受信信号から既知の信号を用いて前記マルチパスのタイミングを検出しパス検出情報として出力するパスタイミング検出部と、
前記受信信号と前記パス検出情報を入力とし、前記パスタイミング検出部で検出された検出パスタイミングそれぞれにおける伝送路推定を行い検出パスタイミング伝送路推定値として出力する検出パスタイミング伝送路推定部と、
前記受信信号と前記パス検出情報を入力とし、前記パスタイミング検出部で検出された検出パスタイミングの前後に隣接する複数の隣接パスタイミングそれぞれにおける伝送路推定を行い、隣接パスタイミング伝送路推定値として出力する隣接パスタイミング伝送路推定部と、
前記パス検出情報を入力とし、等化ウエイトの生成において並べる検出パス毎の伝送路推定値の数であるパスサンプル数を決定し、適応パスサンプル数情報として出力する適応パスサンプル数制御部と、
前記検出パスタイミング伝送路推定値と前記隣接パスタイミング伝送路推定値と前記適応パスサンプル数情報を入力とし、伝送路推定値を並べた伝送路応答ベクトルを生成し出力する伝送路応答ベクトル生成部と、
前記伝送路ベクトルを入力とし、前記等化ウエイトを生成し等化ウエイト情報として出力する等化ウエイト生成部と、
前記受信信号と前記等化ウエイト情報を入力とし、前記受信信号の等化を行い、等化後受信信号を出力する等化部と、
前記等化後受信信号を入力とし、前記受信信号に対応する送信信号を推定するデータ復調部とから構成され、
前記適応パスサンプル数制御部が、前記パスサンプル数を検出パス毎に適応的に制御することを特徴とする。
【００１３】
第２の発明は、外部装置からの送信信号がマルチパスを経由して合成された受信信号を入力とし、該受信信号から既知の信号を用いて前記マルチパスのタイミングを検出しパス検出情報として出力するとともに、前記受信信号から得られるパス遅延プロファイルをプロファイル情報として出力するパスタイミング検出部と、
前記受信信号と前記パス検出情報を入力とし、前記パスタイミング検出部で検出された検出パスタイミングそれぞれにおける伝送路推定を行い検出パスタイミング伝送路推定値として出力する検出パスタイミング伝送路推定部と、
前記受信信号と前記パス検出情報を入力とし、前記パスタイミング検出部で検出された検出パスタイミングの前後に隣接する複数の隣接パスタイミングそれぞれにおける伝送路推定を行い、隣接パスタイミング伝送路推定値として出力する隣接パスタイミング伝送路推定部と、
前記パス検出情報と前記プロファイル情報を入力とし、等化ウエイトの生成において並べる検出パス毎の伝送路推定値の数であるパスサンプル数を決定し、適応パスサンプル数情報として出力する適応パスサンプル数制御部と、
前記検出パスタイミング伝送路推定値と前記隣接パスタイミング伝送路推定値と前記適応パスサンプル数情報を入力とし、伝送路推定値を並べた伝送路応答ベクトルを生成し出力する伝送路応答ベクトル生成部と、
前記伝送路ベクトルを入力とし、前記等化ウエイトを生成し等化ウエイト情報として出力する等化ウエイト生成部と、
前記受信信号と前記等化ウエイト情報を入力とし、前記受信信号の等化を行い、等化後受信信号を出力する等化部と、
前記等化後受信信号を入力とし、前記受信信号に対応する送信信号を推定するデータ復調部から構成され、
前記適応パスサンプル数制御部が、前記パスサンプル数を検出パス毎に適応的に制御することを特徴とする。
【００１４】
上記第１および第２の発明においては、適応パスサンプル数制御部にて、検出パス毎に、伝搬環境に応じてパスサンプル数が決定され、伝送路応答ベクトル生成部にて、その決定したパスサンプル数に基づいて伝送路応答ベクトルが生成される。このように、伝搬環境に応じて最適なパスサンプル数で伝送路応答ベクトルを生成することができる。
【００１５】
パスサンプル数を決定するための指標としては、検出パス相互の間隔（パス間隔）、検出パスのレベル、検出パスとその前後の隣接パスとのレベル差といった指標を用いる。
【００１６】
指標として検出パス相互の間隔（パス間隔）を用いる場合は、パス間隔に反比例してパスサンプル数を設定することにより、伝搬環境に応じたパスサンプル数の制御を行う。指標として検出パスレベルを用いる場合は、検出パスレベルに比例してパスサンプル数を設定することにより、伝搬環境に応じたパスサンプル数の制御を行う。指標として検出パスとその前後の隣接パスとのレベル差を用いる場合は、検出パスとのレベル差が閾値以上である隣接パスタイミングには伝送路推定値をベクトル要素として並べないことにより、伝搬環境に応じたパスサンプル数の制御を行う。
【発明の効果】
【００１７】
本発明によれば、検出パス毎に伝搬環境に応じたパスサンプル数が決定されるので、サイドローブ成分の影響をほとんど受けない程度にパス間隔が大きい場合、またはパスタイミングが正確な場合に、余分な雑音パスとなっていた隣接パスサンプルの等化特性への影響を低減することができる。さらに、伝搬環境に対して適切なパスサンプル数を設定することで等化特性を改善することができる。
【発明を実施するための最良の形態】
【００１８】
次に、本発明の実施形態について図面を参照して説明する。
【００１９】
図１は、本発明の一実施形態である等化装置の構成を示すブロック図である。図１を参照すると、本実施形態の等化装置は、無線通信システムの受信機に適用されるものであって、パスタイミング検出部１０１、適応パスサンプル数制御部１０２、検出パスタイミング伝送路推定部１０５、隣接パスタイミング伝送路推定部１０６、伝送路応答ベクトル生成部１０７、ウエイト生成部１０８、等化部１０９、およびデータ復調部１１０を有する。
【００２０】
パスタイミング検出部１０１は、受信信号ＳRSIGを入力としており、この入力受信信号ＳRSIGから既知の信号（具体的には、受信信号に含まれるパイロット信号）に基づいてマルチパスを特定し、パス遅延プロファイルを算出するとともに、各パスについてパスタイミングを検出する。パスタイミング検出部１０１は、算出したパス遅延プロファイルをプロファイル情報ＳPDPIとして出力するとともに、検出したマルチパスそれぞれのタイミング（検出パスタイミング）をパス検出情報ＳPDTIとして出力する。
【００２１】
適応パスサンプル数制御部１０２は、パスタイミング検出部１０１の出力（パス検出情報ＳPDTIおよびプロファイル情報ＳPDPI）を入力とする制御情報算出部１０３と、制御情報算出部１０３の出力（パスサンプル数制御情報ＳPSMI）を入力とするパスサンプル数決定部１０４とからなる。制御情報算出部１０３は、パスタイミング検出部１０１から供給されたプロファイル情報ＳPDPIおよびパス検出情報ＳPDTIに基づいてパスサンプル数を決定するための指標を計算し、その計算結果をパスサンプル数制御情報ＳPSMIとして出力する。パスサンプル数決定部１０４は、制御情報算出部１０３から供給されたパスサンプル数制御情報ＳPSMIに基づいて検出パス毎のパスサンプル数を決定し、その決定した検出パス毎のパスサンプル数を適応パスサンプル数情報ＳAPSIとして出力する。
【００２２】
検出パスタイミング伝送路推定部１０５は、受信信号ＳRSIGおよびパス検出情報ＳPDTIを入力としており、これら入力に基づいて、検出パスタイミングそれぞれにおける伝送路推定を行い、その推定結果を検出パスタイミング伝送路推定値ＳCEDTとして出力する。隣接パスタイミング伝送路推定部１０６は、受信信号ＳRSIGおよびパス検出情報ＳPDTIを入力としており、これら入力に基づいて、検出パスタイミングそれぞれに隣接する前後(Ｎpsm−1)／２タイミングにおける伝送路推定を行い、その推定結果を隣接パスタイミング伝送路推定値ＳCENTとして出力する。ここで、Ｎpsm（Ｎpsmは自然数）は、複数パスサンプル法におけるパスサンプル数の最大値である。
【００２３】
伝送路応答ベクトル生成部１０７は、適応パスサンプル数情報ＳAPSIと検出パスタイミング伝送路推定値ＳCEDTと隣接パスタイミング伝送路推定値ＳCENTをそれぞれ入力としており、これら入力に基づいて、伝送路推定値をベクトルの要素として並べた伝送路応答ベクトルＳCRVを生成して出力する。ウエイト生成部１０８は、伝送路応答ベクトルＳCRVを入力としており、この入力に基づいて等化ウエイトＳEQWを生成して出力する。等化部１０９は、受信信号ＳRSIGと等化ウエイトＳEQWを入力としており、これら入力に基づいて受信信号の等化を行い、等化後受信信号ＳEQSIGを出力する。データ復調部１１０は、等化後受信信号ＳEQSIGを復調して送信データに対応するデータ系列ＳRDATを生成する。
【００２４】
以上のように構成された本実施形態の等化装置では、適応パスサンプル数制御部１０２にて、検出パス毎に伝搬環境に応じたパスサンプル数が決定され、伝送路応答ベクトル生成部１０７にて、その決定したパスサンプル数に基づいて伝送路応答ベクトルが生成されるので、伝搬環境に応じて適応的に最適な等化ウエイトを生成することができる。
【００２５】
以下、適応パスサンプル数制御部１０２の構成について具体的に説明する。
【００２６】
図２に、制御情報算出部１０３の構成を示す。図２を参照すると、制御情報算出部１０３は、パス間隔算出部１１１、検出パスレベル算出部１１２、隣接パスレベル算出部１１３およびパスレベル差算出部１１４を有する。
【００２７】
パス間隔算出部１１１は、パス検出情報ＳPDTIを入力としており、検出パス相互の間隔（パス間隔）を算出し、その算出結果をパス間隔情報ＳPDDIとして出力する。検出パスレベル算出部１１２は、パス検出情報ＳPDTIとプロファイル情報SPDPIを入力としており、パスタイミング検出部１０１でパスタイミングが検出されたパス（検出パス）それぞれについて、パスレベルを算出するとともに、検出最大レベルの検出パスとそれ以外の検出パスとのレベル差（検出パスレベル差）を算出し、それら算出結果を検出パスレベル情報ＳPLDTとして出力する。隣接パスレベル算出部１１３は、パス検出情報ＳPDTIとプロファイル情報ＳPDPIを入力としており、検出パスタイミングの前後（Ｎpsm−1)／２タイミングずつの隣接パスそれぞれのレベルを算出し、その算出結果を隣接パスレベル情報ＳPLNTとして出力する。パスレベル差算出部１１４は、パス検出情報ＳPDTIと検出パスレベル情報ＳPLDTと隣接パスレベル情報ＳPLNTをそれぞれ入力としており、これら入力に基づいて検出パスとその前後の隣接パスとのレベル差を算出し、その算出結果を隣接パスレベル差情報ＳPLDIとして出力する。
【００２８】
上記のように構成された制御情報算出部１０３では、パスサンプル数を決定するための指標として、パス間隔情報ＳPDDI、検出パスレベル情報ＳPLDT、隣接パスレベル情報ＳPLNT、および隣接パスレベル差情報ＳPLDIが出力される。なお、検出パスおよび隣接パスのレベルは、例えば信号波形の振幅、電力、ＳＩＲ（Signal to Interference Power Ratio）などで与えられる。
【００２９】
図３は、パス間隔を説明するための模式図である。パス間隔の単位はパス検出の最小精度（最小タイミング）である。図３に示した例では、第１パス（振幅Ｘ１）と第２パス（振幅Ｘ２）のパス間隔τは４となっている。パス間隔算出部１１１は、このパス間隔を算出してパス間隔情報ＳPDDIとして出力する。
【００３０】
図４は、検出パスレベル差を説明するための模式図である。検出パスレベル算出部１１２は、図４に示すように、最大レベルの検出パスである第１パス（振幅Ｘ１）と第２パス（振幅Ｘ２）とのレベル差Ｌｖを算出して検出パスレベル情報ＳPLDTとして出力する。第２パスの第１パスとのレベル差Ｌｖ（電力差）は、
【００３１】
【数１】
2007129549.tif 000003
【００３２】
となる。ここで、ＳＩＲを検出パスレベルとする場合は、各検出パスのＳＩＲの値を用いる。
【００３３】
図５は、隣接パスレベル差を説明するための模式図である。図５に示すように、検出パスの振幅がｙ、その前後の隣接パスの振幅がそれぞれｚ-、ｚ+である場合、検出パスとその前後の隣接パスとのレベル差（電力差）はそれぞれ、
【００３４】
【数２】
2007129549.tif 000004
【００３５】
となる。パスレベル差算出部１１４は、これらレベル差ＬｖＤ-、ＬｖＤ+を算出して隣接パスレベル差情報ＳPLDIとして出力する。
【００３６】
適応パスサンプル数制御部１０２では、パスサンプル数決定部１０４が、制御情報算出部１０３から指標として供給されるパス間隔情報ＳPDDI、検出パスレベル情報ＳPLDTおよび隣接パスレベル差情報ＳPLDIの３つの情報のうち少なくとも１つの情報を用いて検出パス毎のパスサンプル数を決定する。
【００３７】
以下、パス間隔情報ＳPDDIを指標として用いた場合（実施例１）、検出パスレベル情報ＳPLDTを指標として用いた場合（実施例２）、隣接パスレベル差情報ＳPLDIを指標として用いた場合（実施例３）、パス間隔情報ＳPDDI、検出パスレベル情報ＳPLDTおよび隣接パスレベル差情報ＳPLDIの３つの情報を指標として用いた場合（実施例４）をそれぞれ挙げてその動作および効果を具体的に説明する。
【実施例１】
【００３８】
本実施例では、パスサンプル数を決定する指標としてパス間隔情報ＳPDDI（パス間隔）を用いる。パスサンプル数決定部１０４は、パス間隔が小さい場合に生じるパス間のサイドローブ成分の影響およびタイミング誤差の影響を軽減するために、パス間隔が小さい場合は、パスサンプル数を大きくし、パス間隔が大きい場合には、パスサンプル数を小さくする。このパスサンプル数制御を実現するために、パスサンプル数決定部１０４は、パス間隔閾値とパスサンプル数の関係が予め与えられている。
【００３９】
図６に、パス間隔閾値とパスサンプル数の関係の一例を示す。この例では、パスサンプル数の最大値をＮpsm=５とし、４つのパス間隔閾値ＴｈＤ1＝０、ＴｈＤ2＝６、ＴｈＤ3＝１１、ＴｈＤ4＝∞によりパス間隔τ（τは正の実数）の範囲を規定し、その規定したパス間隔τの範囲に対応するパスサンプル数をそれぞれ、ＮpsＤ1＝５、ＮpsＤ2＝３、ＮpsＤ3＝１としており、パスサンプル数決定部１０４は、パス間隔τがＴｈＤi≦τ＜ＴｈＤi+1（ｉ＝１，２，３）となる場合に、パスサンプル数をＮpsＤiに設定する。この場合は、パス間隔τが０≦τ＜６のとき、パスサンプル数は５とされ、パス間隔τが６≦τ＜１１のとき、パスサンプル数は３とされ、パス間隔τが１１≦τのとき、パスサンプル数は１とされる。
【００４０】
図７の（ａ）に、パスサンプル数が固定の従来の等化装置における、伝送路応答ベクトルの生成に用いられるパスサンプルを模式的に示し、図７の（ｂ）に、本実施例における、伝送路応答ベクトルの生成に用いられるパスサンプルを模式的に示す。この図７の（ａ）および（ｂ）に示した例ではいずれも、４つのパス（実線）が検出されており、第１パスと第２パスのパス間隔τ1は５、第２パスと第３パスのパス間隔τ2は９、第３パスと第４パスのパス間隔τ3は１３となっている。
【００４１】
従来の等化装置では、パスサンプル数は予め設定したパスサンプル数の最大値Ｎpsm＝５に固定されている。このため、図７の（ａ）に示すように、パスタイミング検出部１０１において４つのパス（実線）が検出された場合は、パス間隔とは関係なく、第１パスから第４パスまでのそれぞれのパスサンプル数はパスサンプル数の最大値Ｎpsm＝５となる。
【００４２】
一方、本実施例によれば、第１パスから第４パスまでのそれぞれのパスサンプル数をＮpsj（ｊ=１，２，３，４)とすると、第１パスのパスサンプル数Ｎps1および第２パスのパスサンプル数Ｎps2は、第１パスと第２パスのパス間隔を基に、第３パスのパスサンプル数Ｎps3は、第２パスと第３パスのパス間隔を基に、第４パスのパスサンプル数Ｎps4は、第３パスと第４パスのパス間隔を基に、それぞれ図６に示した関係に従って決定される。したがって、本実施例の場合は、図７の（ｂ）に示すように、第１パスと第２パスのパス間隔τ1が５であるので、Ｎps1とＮps2はともに５とされる。また、第２パスと第３パスのパス間隔τ2が９であるので、Ｎps3は３とされる。また、第３パスと第４パスのパス間隔τ3が１３であるので、Ｎps4は１とされる。このように、各検出パスにおけるパスサンプル数をパス間隔に応じて制御することで、伝搬環境に応じたパスサンプル数の決定が可能となる。
【００４３】
なお、パスサンプル数の決定は、パス検出の周期毎に決定しても、パス検出周期のＮ周期（Ｎは任意の自然数）に一回決定してもよい。
【００４４】
また、パスサンプル数決定部１０４によるパスサンプル数決定処理は、基本的には、以下の３つの処理に分けることができる。
【００４５】
（第１のパスサンプル数決定処理）
パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ番目の検出パスにおけるパスサンプル数をＮpsＤj（ＮpsＤjは自然数で、ＮpsＤ1＞ＮpsＤ2＞…＞ＮpsＤNd）に設定し、第Ｐ番目の検出パスにおけるパスサンプル数をパス間隔τP-1に基づいて設定する。
【００４６】
（第２のパスサンプル数決定処理）
パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）が、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τp＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づいて設定する。
【００４７】
（第３のパスサンプル数決定処理）
パスタイミング検出部で検出可能な最大パス数をＰ（Ｐは自然数）とするとき、第ｐ番目（ｐ＝１，２，・・・，Ｐ−1）の検出パスと第ｐ＋1番目の検出パスとのパス間隔τp（τpは正の実数）と前記第ｐ＋１番目の検出パスと第ｐ＋２番目の検出パスとのパス間隔τp+1とのうち、小さい方のパス間隔τ’pが、予め設定したＮｄ＋１個（Ｎｄは自然数）のパス間隔閾値ＴｈＤi（ＴｈＤiは実数で、ＴｈＤ1＜ＴｈＤ2＜…＜ＴｈＤNd+1，ＴｈＤ1＝０，ＴｈＤNd+1＝∞，ｉ＝１，２，…，Ｎｄ＋１）に対し、ＴｈＤj≦τ’p＜ＴｈＤj+1（ｊ＝１，２，…，Ｎｄ）となる場合、前記第ｐ＋１番目の検出パスにおけるパスサンプル数をＮpsＤj（ＮpsＤjは自然数で、ＮpsＤ1＞ＮpsＤ2＞…＞ＮpsＤNd）に設定し、第１番目の検出パスにおけるパスサンプル数をパス間隔τ1に基づき設定し、第Ｐ番目の検出パスにおけるパスサンプル数をパス間隔τP-1に基づき設定する。
【００４８】
また、本実施例では、指標はパス間隔情報ＳPDDI（パス間隔）だけであるので、図２に示した制御情報算出１０３の構成において、検出パスレベル算出部１１１、隣接パスレベル算出部１１３およびパスレベル差算出部１１４は不要となる。
【実施例２】
【００４９】
本実施例では、パスサンプル数を決定する指標として検出パスレベル情報ＳPLDT（検出パスそれぞれと最大レベルの検出パスとのレベル差）を用いる。パスサンプル数決定部１０４は、パスレベルが小さい場合に複数パスを置くことによる雑音増加を防ぐために、レベル差が小さい場合は、パスサンプル数を大きく、最大レベル検出パスとのレベル差が大きい場合には、パスサンプル数を小さくする。このパスサンプル数制御を実現するために、パスサンプル数決定部１０４に、レベル差とパスサンプル数の関係を設定する。
【００５０】
図８に、レベル差とパスサンプル数の関係の一例を示す。この例では、パスサンプル数の最大値をＮpsm=５とし、４つのパスレベル閾値ＴｈＬ1＝０、ＴｈＬ2＝１．０、ＴｈＬ3＝３．０、ＴｈＬ4＝∞によりレベル差Ｌｖ（Ｌｖは正の実数）の範囲を規定し、その規定したレベル差Ｌｖの範囲に対応するパスサンプル数をそれぞれ、ＮpsＬ1＝５、ＮpsＬ2＝３、ＮpsＬ3＝１としており、パスサンプル数決定部１０４は、レベル差ＬｖがＴｈＬi≦Ｌｖ＜ＴｈＬi+1（i=1,2,3）となる場合に、パスサンプル数をＮpsＬiに設定する。この場合は、レベル差Ｌｖが０≦Ｌｖ＜１．０のとき、パスサンプル数は５とされ、レベル差Ｌｖが１．０≦Ｌｖ＜３．０のとき、パスサンプル数は３とされ、レベル差Ｌｖが３．０≦τのとき、パスサンプル数は１とされる。
【００５１】
図９の（ａ）に、パスサンプル数が固定の従来の等化装置における、伝送路応答ベクトルの生成に用いられるパスサンプルを模式的に示し、図９の（ｂ）に、本実施例における、伝送路応答ベクトルの生成に用いられるパスサンプルを模式的に示す。この図９の（ａ）および（ｂ）に示した例ではいずれも、４つのパス（実線）が検出されており、第１パスが最大レベルの検出パスとされ、第１パスと第２パスのレベル差Ｌｖ2は２．１（ｄＢ）、第１パスと第３パスのレベル差Ｌｖ3は１．２（ｄＢ）、第１パスと第４パスのレベル差Ｌｖ4は４．３（ｄＢ）となっている。
【００５２】
従来の等化装置では、パスサンプル数は予め設定したパスサンプル数の最大値Ｎpsm＝５に固定されている。このため、図９の（ａ）に示すように、パスタイミング検出部１０１において４つのパス（実線）が検出された場合は、最大レベルの検出パスとのレベル差とは関係なく、第１パスから第４パスまでのそれぞれのパスサンプル数はパスサンプル数の最大値Ｎpsm＝５となる。
【００５３】
一方、本実施例によれば、第１パスから第４パスまでのそれぞれのパスサンプル数をＮpsj（j=1,2,3,4)とすると、第１パスのパスサンプル数Ｎps1は、予め設定したパスサンプル数の最大値Ｎpsm（＝５）とされる。また、第２パスのパスサンプル数Ｎps2は、第１パスと第２パスのレベル差Ｌｖ2を基に、第３パスのパスサンプル数Ｎps3は、第１パスと第３パスのレベル差Ｌｖ3を基に、第４パスのパスサンプル数Ｎps4は、第１パスと第４パスのレベル差Ｌｖ4を基に、それぞれ図８に示した関係に従って決定される。したがって、本実施例の場合は、図９の（ｂ）に示すように、レベル差Ｌｖ2は２．１（ｄＢ）であるので、パスサンプル数Ｎps2は３とされる。また、レベル差Ｌｖ3は１．２（ｄＢ）であるので、パスサンプル数Ｎps3は３とされる。また、レベル差Ｌｖ4は４．５（ｄＢ）であるので、パスサンプル数Ｎps4は１とされる。このように、各検出パスにおけるパスサンプル数をレベル差Ｌｖに応じて制御することで、伝搬環境に応じたパスサンプル数の決定が可能となる。
【００５４】
以上の本実施例によるパスサンプル数決定処理は、基本的には、パスタイミング検出部で検出可能な最大パス数をＰとするとき、第ｐ番目（ｐ＝１，２，…，Ｐ）の検出パスのレベルと最大レベルの検出パスとのレベル差Ｌｖp（Ｌｖpは実数）が、予め設定したＮｌ＋１個（Ｎｌは自然数）のパスレベル閾値ＴｈＬk（ＴｈＬkは実数で、ＴｈＬ1＜ＴｈＬ2＜…＜ＴｈＬNl+1，ＴｈＬ1＝０，ＴｈＬNl+1＝∞，ｋ＝１，２，…，Ｎｌ＋１）に対し、ＴｈＬl≦Ｌｖp＜ＴｈＬl+1（ｌ＝１，２、…、Ｎｌ）となる場合に、第ｐ番目の検出パスにおけるパスサンプル数をＮpsＬl（ＮpsＬlは自然数で、ＮpsＬ1＜ＮpsＬ2＜…＜ＮpsＬNl）に設定する処理となる。
【００５５】
なお、パスサンプル数の決定は、パス検出の周期毎に決定しても、パス検出周期のＮ周期（Ｎは任意の自然数）に一回決定してもよい。
【００５６】
また、本実施例では、指標は検出パスレベル情報ＳPLDT（検出パスレベル差）だけであるので、図２に示した制御情報算出１０３の構成において、パス間隔算出部１１１、隣接パスレベル算出部１１３およびパスレベル差算出部１１４は不要となる。
【実施例３】
【００５７】
本実施例では、パスサンプル数を決定する指標として隣接パスレベル差情報ＳPLDI（隣接パスレベル差）を用いる。パスサンプル数決定部１０４は、パスタイミング誤差がある場合に前後の隣接パスのレベル差を考慮するために、隣接レベル差が大きい隣接パスタイミングについては伝送路推定値を並べないようにパスサンプル数の制御を行う。このパスサンプル数制御を実現するために、パスサンプル数決定部１０４に、隣接パスレベル差の閾値α[dB]を設定し、隣接パスレベル差がこの閾値以上となった隣接パスタイミングについては伝送路推定値をベクトル要素として用いないようにパスサンプル数の制御を行う。
【００５８】
図１０の（ａ）に、パスサンプル数が固定の従来の等化装置における、伝送路応答ベクトルの生成に用いられるパスサンプルを模式的に示し、図１０の（ｂ）に、本実施例における、伝送路応答ベクトルの生成に用いられるパスサンプルを模式的に示す。この図１０の（ａ）および（ｂ）に示した例ではいずれも、４つのパス（実線）が検出されている。第１パスとその前後の隣接パスとのレベル差ＬｖＤ1,-1、ＬｖＤ1,+1はそれぞれ１．４（ｄＢ）、１．２（ｄＢ）となっている。第２パスとその前後の隣接パスとのレベル差ＬｖＤ2,-1、ＬｖＤ2,+1はそれぞれ１．３（ｄＢ）、２．６（ｄＢ）となっている。第３パスとその前後の隣接パスとのレベル差ＬｖＤ3,-1、ＬｖＤ3,+1はそれぞれ２．１（ｄＢ）、１．４（ｄＢ）となっている。第４パスとその前後の隣接パスとのレベル差ＬｖＤ4,-1、ＬｖＤ4,+1はそれぞれ１．８（ｄＢ）、２．３（ｄＢ）となっている。ここでは、隣接パスレベル差の閾値αは２としている。また、第１パスから第４パスまでのそれぞれのパスサンプル数をＮpsj（j=1,2,3,4)とする。
【００５９】
従来の等化装置では、パスサンプル数は予め設定したパスサンプル数の最大値Ｎpsm（＝３）に固定されている。このため、図１０の（ａ）に示すように、パスタイミング検出部１０１において４つのパス（実線）が検出された場合は、隣接パスレベル差とは関係なく、第１パスから第４パスまでのそれぞれのパスサンプル数Ｎps1〜Ｎps4はいずれもパスサンプル数の最大値Ｎpsm（＝５）となる。
【００６０】
一方、本実施例によれば、第１パスとその前後の隣接パスとのレベル差ＬｖＤ1,-1、ＬｖＤ1,+1はそれぞれ１．４（ｄＢ）、１．２（ｄＢ）であり、いずれも閾値α（＝２）未満であるので、第１パスのパスサンプル数Ｎps1は３となる。第２パスとその前後の隣接パスとのレベル差ＬｖＤ2,-1、ＬｖＤ2,+1はそれぞれ１．３（ｄＢ）、２．６（ｄＢ）であり、レベル差ＬｖＤ2,+1が閾値α（＝２）を超えているので、第２パスのパスサンプル数Ｎps2は２となる。第３パスとその前後の隣接パスとのレベル差ＬｖＤ3,-1、ＬｖＤ3,+1はそれぞれ２．１（ｄＢ）、１．４（ｄＢ）であり、レベル差ＬｖＤ3,-1が閾値α（＝２）を超えているので、第３パスのパスサンプル数Ｎps3は２となる。第４パスとその前後の隣接パスとのレベル差ＬｖＤ4,-1、ＬｖＤ4,+1はそれぞれ１．８（ｄＢ）、２．３（ｄＢ）であり、レベル差ＬｖＤ4,+1が閾値α（＝２）を超えているので、第４パスのパスサンプル数Ｎps4は２となる。このように、各検出パスにおけるパスサンプル数を隣接パスレベル差ＬｖＤに応じて制御することで、伝搬環境に応じたパスサンプル数の決定が可能となる。
【００６１】
なおパスサンプル数の決定は、パス検出の周期毎に決定しても、パス検出周期のＮ周期（Ｎは任意の自然数）に一回決定してもよい。
【００６２】
また、本実施例では、指標は隣接パスレベル差情報ＳPLDI（隣接パスレベル差）だけであるので、図２に示した制御情報算出１０３の構成において、パス間隔算出部１１１は不要となる。
【実施例４】
【００６３】
本実施例では、パスサンプル数を決定する指標として、パス間隔情報ＳPDDI（パス間隔）、検出パスレベル情報ＳPLDT（検出パスそれぞれと最大レベルの検出パスとのレベル差）および隣接パスレベル差情報ＳPLDI（隣接パスレベル差）の３つの情報を用いる。パスサンプル数決定部１０４は、検出パスのそれぞれについて、第１の実施例と同様の手順でパス間隔情報ＳPDDIを用いて第１のパスサンプルス数を決定し、第２の実施例と同様の手順で検出パスレベル情報ＳPLDTを用いて第２のパスサンプルス数を決定し、第３の実施例と同様の手順で隣接パスレベル差情報ＳPLDIを用いて第３のパスサンプルス数を決定し、これら第１乃至第３のパスサンプル数のうち値の最も小さなパスサンプル数を当該検出パスのパスサンプル数とする。これにより、パス間のサイドローブ成分の影響およびタイミング誤差の影響を軽減することが可能となる。本実施例では、隣接パスレベル閾値αを2[dB]とし、パスサンプル数の最大値をNpsm=5とする。
【００６４】
図１１の（ａ）に、パスサンプル数が固定の従来の等化装置における、伝送路応答ベクトルの生成に用いられるパスサンプルを模式的に示し、図１０の（ｂ）に、本実施例における、伝送路応答ベクトルの生成に用いられるパスサンプルを模式的に示す。この図１０の（ａ）および（ｂ）に示した例ではいずれも、４つのパス（実線）が検出されている。第１パスと第２パスのパス間隔τ1は５、第２パスと第３パスのパス間隔τ2は８である。第２パスが最大レベルの検出パスとされ、第１パスと第２パスのレベル差Ｌｖ1は１．１（ｄＢ）、第２パスと第３パスのレベル差Ｌｖ3は２．１（ｄＢ）である。第１パスとその前後の隣接パスとのレベル差ＬｖＤ1,-1、ＬｖＤ1,+1、ＬｖＤ1,-2、ＬｖＤ1,+2はそれぞれ１．８（ｄＢ）、１．２（ｄＢ）、３．８（ｄＢ）、１．９（ｄＢ）である。第２パスとその前後の隣接パスとのレベル差ＬｖＤ2,-1、ＬｖＤ2,+1、ＬｖＤ2,-2、ＬｖＤ2,+2はそれぞれ１．０（ｄＢ）、１．３（ｄＢ）、１．８（ｄＢ）、３．２（ｄＢ）である。第３パスとその前後の隣接パスとのレベル差ＬｖＤ3,-1、ＬｖＤ3,+1、ＬｖＤ3,-2、ＬｖＤ3,+2はそれぞれ１．８（ｄＢ）、２．２（ｄＢ）、４．０（ｄＢ）、４．０（ｄＢ）である。また、第１パスから第４パスまでのそれぞれのパスサンプル数をＮpsj（j=1,2,3,4)とする。
【００６５】
従来の等化装置では、パスサンプル数は予め設定したパスサンプル数の最大値Ｎpsm（＝５）に固定されている。このため、図１１の（ａ）に示すように、パスタイミング検出部１０１において４つのパス（実線）が検出された場合は、パス間隔、検出パスレベル差、隣接パスレベル差といった情報には関係なく、第１パスから第４パスまでのそれぞれのパスサンプル数Ｎps1〜Ｎps4はいずれもパスサンプル数の最大値Ｎpsm（＝５）となる。
【００６６】
一方、本実施例によれば、パスサンプル数決定部１０４は、第１パスから第３パスのそれぞれについて、パス間隔情報ＳPDDIを用いた第１のパスサンプル数決定処理と、検出パスレベル情報ＳPLDTを用いた第２のパスサンプル数決定処理と、隣接パスレベル差情報ＳPLDIを用いた第３のパスサンプル数決定処理を順次行う。第１のパスサンプル数決定処理では、４つのパス間隔閾値ＴｈＤ1＝０、ＴｈＤ2＝６、ＴｈＤ3＝１１、ＴｈＤ4＝∞によりパス間隔τ（τは正の実数）の範囲を規定し、その規定したパス間隔τの範囲に対応するパスサンプル数をそれぞれ、ＮpsＤ1＝５、ＮpsＤ2＝３、ＮpsＤ3＝１として、パス間隔τがＴｈＤi≦τ＜ＴｈＤi+1（i=1,2,3）となる場合に、パスサンプル数をＮpsＤiに設定する。第２のパスサンプル数決定処理では、４つのパスレベル閾値ＴｈＬ1＝０、ＴｈＬ2＝１．０、ＴｈＬ3＝３．０、ＴｈＬ4＝∞によりレベル差Ｌｖ（Ｌｖは正の実数）の範囲を規定し、その規定したレベル差Ｌｖの範囲に対応するパスサンプル数をそれぞれ、ＮpsＬ1＝５、ＮpsＬ2＝３、ＮpsＬ3＝１として、レベル差ＬｖがＴｈＬi≦Ｌｖ＜ＴｈＬi+1（i=1,2,3）となる場合に、パスサンプル数をＮpsＬiに設定する。第３のパスサンプル数決定処理では、隣接パスレベル差が予め与えられた閾値α（＝２[dB]）以上となった隣接パスタイミングについては伝送路推定値をベクトル要素として用いないようにパスサンプル数の制御を行う。これら第１乃至第３のパスサンプル数決定処理によりそれぞれ得られた第１乃至第３のパスサンプル数候補値のうち最も値の小さな候補値をパスサンプル数として決定する。
【００６７】
図１２に、図１１に示した第１乃至第３パスについて、第１乃至第３のパスサンプル数決定処理を行った結果を示す。
【００６８】
図１２示した結果によれば、第１パスでは、第１のパスサンプル数決定処理でパスサンプル数候補値として５が得られ、第２のパスサンプル数決定処理でパスサンプル数候補値として３が得られ、第３のパスサンプル数決定処理でパスサンプル数候補値として４が得られている。この場合は、第２のパスサンプル数決定処理で得られたパスサンプル数候補値の３が最も小さいので、第１パスのパスサンプル数Ｎps1は、この候補値「３」に決定される。
【００６９】
また、第２パスでは、第１のパスサンプル数決定処理でパスサンプル数候補値として５が得られ、第２のパスサンプル数決定処理でパスサンプル数候補値として５が得られ、第３のパスサンプル数決定処理でパスサンプル数候補値として４が得られている。この場合は、第３のパスサンプル数決定処理で得られたパスサンプル数候補値の４が最も小さいので、第２パスのパスサンプル数Ｎps2は、この候補値「４」に決定される。
【００７０】
また、第３パスでは、第１のパスサンプル数決定処理でパスサンプル数候補値として３が得られ、第２のパスサンプル数決定処理でパスサンプル数候補値として３が得られ、第３のパスサンプル数決定処理でパスサンプル数候補値として２が得られている。この場合は、第３のパスサンプル数決定処理で得られたパスサンプル数候補値の２が最も小さいので、第３パスのパスサンプル数Ｎps3は、この候補値「２」に決定される。
【００７１】
なお、パスサンプル数の決定は、パス検出の周期毎に決定しても、パス検出周期のＮ周期（Ｎは任意の自然数）に一回決定してもよい。
【００７２】
また、本実施例では、パス間隔情報ＳPDDI、検出パスレベル情報ＳPLDTおよび隣接パスレベル差情報ＳPLDIの３つの指標全てを用いているが、これら指標のうちの２つを用いてもよい。
【００７３】
また、２つまたは３つの指標からそれぞれ求めたパスサンプル数候補値のうち、最も小さなパスサンプル数候補値をパスサンプル数とするようになっているが、反対に、最も大きなパスサンプル数候補値をパスサンプル数として決定してもよい。
【００７４】
また、複数の指標に優先度を設定し、それに基づいて使用する指標を決定してもよい。
【００７５】
なお、以上説明した本発明におけるパスサンプル数決定後の等化方法としては、例えば時間領域でフィルタリングを行うチップ等化や、周波数領域で等化処理を行う周波数領域等化がある。
【産業上の利用可能性】
【００７６】
本発明は、無線通信システムの他、マルチパス干渉の問題を生じる通信システム全般に適用することができる。例えば、ケーブルＴＶで用いる伝送路においても、同様なマルチパス干渉の問題を生じることから、本発明は、そのような伝送路を用いた通信システムにも適用することができる。
【図面の簡単な説明】
【００７７】
【図１】本発明の一実施形態である等化装置の構成を示すブロック図である。
【図２】図１に示す制御情報算出部の構成を示すブロック図である。
【図３】図２に示す制御情報算出部によるパス間隔の検出を説明するための模式図である。
【図４】図２に示す制御情報算出部による検出パスレベル差の検出を説明するための模式図である。
【図５】図２に示す制御情報算出部による隣接パスレベル差の検出を説明するための模式図である。
【図６】パス間隔閾値とパスサンプル数の関係の一例を示す図である。
【図７】（ａ）は、パスサンプル数が固定の従来の等化装置における、伝送路応答ベクトルの生成に用いられるパスサンプル数を説明するための模式図、（ｂ）は、本発明の第１の実施例における伝送路応答ベクトルの生成に用いられるパスサンプル数を説明するための模式図である。
【図８】レベル差とパスサンプル数の関係の一例を示す図である。
【図９】（ａ）は、パスサンプル数が固定の従来の等化装置における、伝送路応答ベクトルの生成に用いられるパスサンプル数を説明するための模式図、（ｂ）は、本発明の第２の実施例における伝送路応答ベクトルの生成に用いられるパスサンプル数を説明するための模式図である。
【図１０】（ａ）は、パスサンプル数が固定の従来の等化装置における、伝送路応答ベクトルの生成に用いられるパスサンプル数を説明するための模式図、（ｂ）は、本発明の第３の実施例における伝送路応答ベクトルの生成に用いられるパスサンプル数を説明するための模式図である。
【図１１】（ａ）は、パスサンプル数が固定の従来の等化装置における、伝送路応答ベクトルの生成に用いられるパスサンプル数を説明するための模式図、（ｂ）は、本発明の第４の実施例における伝送路応答ベクトルの生成に用いられるパスサンプル数を説明するための模式図である。
【図１２】図１１に示す第１乃至第３パスについてパスサンプル数決定処理を行った結果を示す図である。
【図１３】従来の等化装置の構成を示すブロック図である。
【図１４】従来の複数パスサンプル法を説明するための模式図である。
【符号の説明】
【００７８】
１００  等化装置
１０１  パスタイミング検出部
１０２  適応パスサンプル数制御部
１０３  制御情報算出部
１０４  パスサンプル数決定部
１０５  検出パスタイミング伝送路推定部
１０６  隣接パスタイミング伝送路推定部
１０７  伝送路応答ベクトル生成部
１０８  ウエイト生成部
１０９  等化部
１１０  データ復調部
１１１  パス間隔算出部
１１２  検出パスレベル算出部
１１３  隣接パスレベル算出部
１１４  パスレベル差算出部
【図１】
2007129549.tif 000005
【図２】
2007129549.tif 000006
【図３】
2007129549.tif 000007
【図４】
2007129549.tif 000008
【図５】
2007129549.tif 000009
【図６】
2007129549.tif 000010
【図７】
2007129549.tif 000011
【図８】
2007129549.tif 000012
【図９】
2007129549.tif 000013
【図１０】
2007129549.tif 000014
【図１１】
2007129549.tif 000015
【図１２】
2007129549.tif 000016
【図１３】
2007129549.tif 000017
【図１４】
2007129549.tif 000018